(57)【要約】      （修正有）【課題】放射性セシウムとシアンを除去することができる除染方法及び装置を提供する。【解決手段】放射性セシウム除染装置は、フェロシアン化合物を担持するセシウム吸着剤を充填してなる放射性セシウム吸着塔１０とアニオン交換樹脂及び／又はキレート樹脂を充填してなるシアン吸着塔２０とで構成され、放射性セシウムをフェロシアン化合物に吸着させ、次いで、アニオン交換樹脂及び／又はキレート樹脂にシアンを吸着させることで、放射性セシウムとともに、シアンを吸着除去することが可能となる。【選択図】図１
2014109500.tif 000002
【特許請求の範囲】
【請求項１】
放射性セシウムをフェロシアン化合物に吸着させ、次いで、アニオン交換樹脂及び／又はキレート樹脂にシアンを吸着させる、放射性セシウムの除染方法。
【請求項２】
放射性セシウムを含む排水をフェロシアン化合物と接触させ、次いで、アニオン交換樹脂及び／又はキレート樹脂に接触させて、放射性セシウムとシアンとを除去する放射性セシウムの除染方法。
【請求項３】
前記アニオン交換樹脂は、強塩基性Ｉ型アニオン交換樹脂である、請求項１又は２に記載の放射性セシウムの除染方法。
【請求項４】
前記キレート樹脂は、イミノジ酢酸型キレート樹脂又はポリアミン型キレート樹脂である、請求項１〜３のいずれかに記載の放射性セシウムの除染方法。
【請求項５】
フェロシアン化合物を担持してなるセシウム吸着材を充填してなる放射性セシウム吸着部を上流側に設け、アニオン交換樹脂及び／又はキレート樹脂を充填してなるシアン吸着部を下流側に設けてなる、放射性セシウム除染装置。
【請求項６】
前記アニオン交換樹脂は、強塩基性Ｉ型アニオン交換樹脂である、請求項５に記載の放射性セシウム除染装置。
【請求項７】
前記キレート樹脂は、イミノジ酢酸型キレート樹脂又はポリアミン型キレート樹脂である、請求項５又は６に記載の放射性セシウム除染装置。
【発明の詳細な説明】
【技術分野】
【０００１】
本発明は、放射性セシウム除染方法及び装置に関し、特に、フェロシアン化合物を用いる放射性セシウム除染において溶出するシアン化合物をも除去する放射性セシウム除染方法及び装置に関する。
【背景技術】
【０００２】
2011年3月11日の東日本大震災時の福島第一原子力発電所から環境中に放出された放射性セシウムの除染が急務となっている。紺青（フェロシアン化鉄）がセシウムを選択的に吸着するため、放射性セシウムの除染に有効であることが知られている（特許文献１）。除染作業等で発生した廃液は、紺青等のフェロシアン化合物で放射性セシウムを除去して放射能レベルを低減した上で、除染作業に再利用するか、もしくは河川等に排出することとなる。
【０００３】
紺青は、一般式  MFe［Fe(CN)6］但し、M＝NH4、K、Fe で表される、無機化合物である。紺青は、非常に古くから製造された顔料のため、プルシアンブルー(Prussian Blue)、ミロリブルー(Milori Blue) 、ベルリンブルー(Berlin Blue)、Iron Blue等たくさんの慣用名があり、一般式Ｍの種類によっても、色々な種類の紺青が存在するが、現在工業用として製造されているのはアンモニウム紺青である。紺青はフェロシアン化合物であり、分解することで全シアンとして検出される成分が溶出する。特にｐＨがアルカリ領域ではこの溶出は顕著となる。
【０００４】
紺青による放射性セシウムの除染では、紺青に由来するシアンが溶出されるが、シアン除去を考慮した除染方法は提案されていない。
河川等への放流については、環境省の省令や自治体の政令等で管理基準値が定められており、放射性セシウムは1.0mg/L未満、全シアンは通常の河川水等では検出されないこと（JIS K 0102.38で測定して0.1mg/L未満）とされている。放射性セシウム除染作業により発生する排水中に全シアンが検出されてしまうことは安全・安心の観点から望ましいことではない。紺青を利用した吸着剤はさまざまなものが開発され、除染作業等に使用されているが、放射性セシウムの除去性能にのみ着目されており、全シアンとして検出される成分に関しては何ら着目されていない現状にある。
【先行技術文献】
【特許文献】
【０００５】
【特許文献１】特公昭62-43519号公報
【発明の概要】
【発明が解決しようとする課題】
【０００６】
本発明の目的は、放射性セシウムとシアンを除去することができる除染方法及び装置を提供することにある。
【課題を解決するための手段】
【０００７】
本発明によれば、放射性セシウムをフェロシアン化合物に吸着させ、次いで、アニオン交換樹脂及び／又はキレート樹脂にシアンを吸着させる、放射性セシウムの除染方法が提供される。
【０００８】
また、本発明によれば、放射性セシウムを含む排水をフェロシアン化合物と接触させ、次いで、アニオン交換樹脂及び／又はキレート樹脂に接触させて、放射性セシウムとシア
ンとを除去する放射性セシウムの除染方法が提供される。
【０００９】
本発明によれば、フェロシアン化合物を担持してなるセシウム吸着材を充填してなる放射性セシウム吸着部を上流側に設け、アニオン交換樹脂及び／又はキレート樹脂を充填してなるシアン吸着部を下流側に設けてなる、放射性セシウム除染装置が提供される。
【００１０】
前記アニオン交換樹脂は、強塩基性Ｉ型アニオン交換樹脂であることが好ましい。
前記キレート樹脂は、イミノジ酢酸型キレート樹脂又はポリアミン型キレート樹脂であることが好ましい。
【００１１】
前記フェロシアン化合物は、フェロシアン化鉄、フェロシアン化ニッケル、フェロシアン化銅であることが好ましい。また、フェロシアン化合物は、活性炭又はゼオライト等に担持されていることが好ましい。
【発明の効果】
【００１２】
本発明の除染方法及び装置によれば、排水中から放射性セシウムとシアンを除去することができる。
【図面の簡単な説明】
【００１３】
【図１】本発明の放射性セシウム除染装置の概略を示すフロー図である。
【図２】実施例１の結果を示す写真である。
【図３】実施例２の結果を示すグラフである
【好ましい実施形態】
【００１４】
以下、添付図面を参照しながら本発明を詳細に説明するが、本発明はこれらに限定されるものではない。
図１に、本発明の放射性セシウム除染装置の概略を示す。本発明の放射性セシウム除染装置は、フェロシアン化合物を担持してなるセシウム吸着剤を充填してなる放射性セシウム吸着塔１０と、アニオン交換樹脂及び／又はキレート樹脂を充填してなるシアン吸着塔２０と、を具備する。図示した実施形態では、放射性セシウム吸着塔１０とシアン吸着塔２０とを別個の塔として直列に接続しているが、同一の吸着塔内の上流側にフェロシアン化合物を充填してなる放射性セシウム吸着部を設け、下流側にアニオン交換樹脂及び／又はキレート樹脂を充填してなるシアン吸着部を設けてもよい。
【００１５】
本発明の除染方法は、放射性セシウムを含む排液を原水貯留槽１から放射性セシウム吸着塔又は吸着部１０に導入し、放射性セシウムを吸着除去した後、放射性セシウム吸着塔１０からの流出液をシアン吸着塔又は吸着部２０に導入し、シアンを吸着除去する。
【００１６】
フェロシアン化合物としては、フェロシアン化鉄、フェロシアン化ニッケル、フェロシアン化銅を好ましく用いることができる。フェロシアン化合物は活性炭やゼオライト等の担体に担持されていることが好ましい。
【００１７】
アニオン交換樹脂としては、強塩基性Ｉ型アニオン交換樹脂を好ましく用いることができる。キレート樹脂としては、イミノジ酢酸型キレート樹脂又はポリアミン型キレート樹脂を好ましく用いることができる。
【実施例】
【００１８】
以下、実施例を用いて本発明を具体的に説明する。
［実施例１］
以下の手順にて、フェロシアン化鉄を担持した活性炭からの溶出液の外観確認を行い、
各種吸着剤による全シアン成分の除去試験を行った。
【００１９】
はじめに、全シアンとして検出される成分の溶出液を作成した。作成手順は以下の通りである。
１）200mLのビーカにフェロシアン化鉄担持活性炭（化研製FC-PB/AC 32-60mesh）を20g採取した。
２）次いで、純水を加え100mLにメスアップして3分間撹拌した。
３）デカントにて水を採取し、サンプル１とした。
【００２０】
このサンプル１を用い、各種吸着剤によるバッチ法による吸着試験を行った。試験手順は以下の通りである。
１）上記１バッチ目のサンプル１を200mLにメスアップした。
２）100mLのビーカに下記4種類の吸着剤を2g採取した。
(1)粒状活性炭  （水ing（株）製粒状活性炭LG-20S）
(2)アニオン樹脂（ダウケミカル製アニオン樹脂MS550A）
(3)キレート樹脂（三菱化学製イミノジ酢酸型キレート樹脂CR11）
(4)キレート樹脂（三菱化学製ポリアミン型キレート樹脂CR20）
３）サンプル１を上記(1)〜(4)の吸着剤それぞれに40mL加え、3分間撹拌した。
【００２１】
サンプル１及び各種吸着剤による除去処理実施後の写真１〜５を図２に示す。写真１に示すように、サンプル１は紺青色であり、活性炭に担持されていたフェロシアン化鉄が溶出している。写真２に示すように、活性炭（A.C.）処理後は紺青色を示し、フェロシアン化鉄が溶出されたまま、シアンが除去されていないことがわかる。写真５に示すように、ポリアミン型キレート樹脂CR20処理後の紺青色はやや薄くなっているものの、シアンが残っていることがわかる。一方、写真３及び４に示すように、アニオン樹脂（A.R.）及びイミノジ酢酸型キレート樹脂CR11では明らかに着色成分の低減が認められ、溶出物の除去が可能であることが確認された。
【００２２】
［実施例２］
JIS  K102.38に準拠するカラム法により、各種吸着剤による全シアン成分の除去試験を行った。
【００２３】
次の２種類のサンプルについて、被処理対象液（カラム試験の原水）として全シアン濃度の測定を行った。
１）フェロシアン化鉄担持活性炭洗浄液
(1)フェロシアン化鉄担持活性炭（化研製FC-PB/AC 32/60mesh）40gを200mlビーカに採取した。
(2)次いで、純水を加え200mlにメスアップして3分間撹拌した。
(3)デカントにて洗浄液を採取した。
上記(1)〜(3)を繰り返し実施して、約1.5Lを回収して、サンプル２とした。
２）長期間通水したときの出口水サンプル
(1)フェロシアン化鉄担持活性炭を1m層高でカラムに充填し、1mg/LのCsを含む1/10海水を通水し、365時間経過時の出口水を採取し、サンプル３とした。サンプル３に含まれるCsの濃度は、アジレント・テクノロジー社製Agilent7700ICP-MSを用い測定したところ、0.001mg/L以下 であった。
【００２４】
サンプル２及び３の全シアン測定結果は、サンプル２：3.80mg/L、サンプル３：0.22mg/Lであった。この２種類の全シアンとして検出される成分を含む水を用い、カラム試験を実施した。カラム試験は次の２種類の吸着剤について実施した。
(1)三菱化学製イミノジ酢酸型キレート樹脂CR11
(2)ダウケミカル製強塩基性Ｉ型アニオン樹脂MS550A
カラム試験手順は以下の通りであった。
１）内径16mmΦカラムに吸着剤を10cm（体積20mL）充填した。
２）原水をLV=20m/h（66mL/min）で通水した。
３）通水後5分及び10分経過後に出口水を採取し、全シアン濃度を測定した。
【００２５】
通水試験結果を整理して表１及び図３に示す。図３において、横軸は経過時間（時：分：秒）、縦軸は全シアン濃度（mg/L）を示す。
【００２６】
【表１】
2014109500.tif 000003
【００２７】
表１から、キレート樹脂CR11とアニオン樹脂で全シアンとして検出される成分が除去可能であることを確認した。特に、アニオン樹脂MS550Aは高い除去率を示した。今回は10cm層高で実施したが、通常のイオン交換装置は層高が1m程度であるため、全シアンとして検出される成分をほとんど除去することが可能であると考えられる。
【００２８】
なお、実施例２の原水として用いたセシウム吸着処理後のフェロシアン化鉄担持活性炭カラム出口水中の全シアン濃度は、450時間経過時に0.13mg/Lであり、シアンの溶出が継続していることが確認できている。
【図１】
2014109500.tif 000004
【図２】
2014109500.tif 000005
【図３】
2014109500.tif 000006